(57)【特許請求の範囲】
【請求項１】
浴槽内に所定の水位まで湯を給湯する自動給湯手段と、前記自動給湯手段の給湯を完了する水位を設定する水位設定手段と、前記水位設定手段で設定された水位を数値で表示する水位数値表示手段と、水位を目盛で表示する水位目盛表示手段とを備え、前記水位数値表示手段と前記水位目盛表示手段は、前記水位設定手段の設定操作に対応して前記水位目盛表示手段が最大目盛を表示しているときに前記水位数値表示手段は最大水位設定値より少ない設定値を表示するように組み合わせた表示方法と、前記水位設定手段の設定操作に対応して前記水位目盛表示手段が最大目盛を表示しているときに前記水位数値表示手段も最大水位設定値を表示するように組み合わせた表示方法を有する構成とした自動風呂装置。
【請求項２】
水位設定手段の設定操作に対応して水位目盛表示手段が最大目盛を表示しているときに水位数値表示手段は最大水位設定値より少ない設定値を表示するように組み合わせた表示方法において、前記水位目盛表示手段が最大目盛を表示した以降、前記水位設定手段の操作により前記水位数値表示手段の表示が最大水位設定値方向に変化しても前記水位目盛表示手段は最大目盛を表示するようにした請求項１記載の自動風呂装置。
【請求項３】
水位表示状態切換手段を備え、該切換手段により表示方法の切り換えを行うようにした請求項１記載の自動風呂装置。
【発明の詳細な説明】
【０００１】
【発明の属する技術分野】
本発明は、浴槽内に設定された水位まで自動的に湯を給湯する自動風呂装置に関するものである。
【０００２】
【従来の技術】
従来のこの種の自動風呂装置では図３に示すように、浴槽内に所定の水位まで湯を給湯する自動給湯手段１と、自動給湯手段１の給湯を完了する水位を設定する水位設定手段２と、水位設定手段２で設定された水位を数値で表示する水位数値表示手段３と、水位を目盛で表示する水位目盛表示手段４のように構成されている。
【０００３】
そして上記従来の自動風呂装置での表示について図４に示す。水位設定手段２で設定できる水位設定値の最大値は、通常使用が想定される浴槽での最大水位と等しくしていた。また、水位数値表示手段３と水位目盛表示手段４の表示は連動しており、水位数値表示手段が最大値を表示しているときは、水位目盛表示手段４も最大目盛を表示するようになっていた。
【０００４】
【発明が解決しようとする課題】
しかしながら上記従来の自動風呂装置では、一般的な浴槽を基準に水位設定範囲を定めているので、特殊な深い浴槽に用いた場合は十分湯を張れないという課題があった。
【０００５】
【課題を解決するための手段】
本発明は上記課題を解決するために、浴槽内に所定の水位まで湯を給湯する自動給湯手段と、前記自動給湯手段の給湯を完了する水位を設定する水位設定手段と、前記水位設定手段で設定された水位を数値で表示する水位数値表示手段と、水位を目盛で表示する水位目盛表示手段とを備え、前記水位数値表示手段と前記水位目盛表示手段は、前記水位設定手段の設定操作に対応して前記水位目盛表示手段が最大目盛を表示しているときに前記水位数値表示手段は最大水位設定値より少ない設定値を表示するように組み合わせた表示方法と、前記水位設定手段の設定操作に対応して前記水位目盛表示手段が最大目盛を表示しているときに前記水位数値表示手段も最大水位設定値を表示するように組み合わせた表示方法を有する構成としたものである。
【０００６】
上記発明によれば、水位設定手段の操作に対応した設定状態の表示を水位目盛表示手段と水位数値表示手段で異なって表示させる表示方法と、水位設定手段の操作に対応した設定状態の表示を水位目盛表示手段と水位数値表示手段で同期して表示させる表示方法を有する構成としているため、一般的な浴槽に湯張りする場合と特殊な深い浴槽に湯張りする場合において使い分けが可能となり、適切な湯張り動作を行うことができる。
【０００７】
【発明の実施の形態】
本発明の請求項１に係る自動風呂装置は、浴槽内に所定の水位まで湯を給湯する自動給湯手段と、前記自動給湯手段の給湯を完了する水位を設定する水位設定手段と、前記水位設定手段で設定された水位を数値で表示する水位数値表示手段と、水位を目盛で表示する水位目盛表示手段とを備え、前記水位数値表示手段と前記水位目盛表示手段は、前記水位設定手段の設定操作に対応して前記水位目盛表示手段が最大目盛を表示しているときに前記水位数値表示手段は最大水位設定値より少ない設定値を表示するように組み合わせた表示方法と、前記水位設定手段の設定操作に対応して前記水位目盛表示手段が最大目盛を表示しているときに前記水位数値表示手段も最大水位設定値を表示するように組み合わせた表示方法を有する構成としたものである。
【０００８】
そして、水位設定手段の操作に対応した設定状態の表示を水位目盛表示手段と水位数値表示手段で異なって表示させる表示方法と、水位設定手段の操作に対応した設定状態の表示を水位目盛表示手段と水位数値表示手段で同期して表示させる表示方法を有する構成としているため、一般的な浴槽に湯張りする場合と特殊な深い浴槽に湯張りする場合において使い分けが可能となり、適切な湯張り動作を行うことができる。
【０００９】
本発明の請求項２に係る自動風呂装置は、水位設定手段の設定操作に対応して水位目盛表示手段が最大目盛を表示しているときに水位数値表示手段は最大水位設定値より少ない設定値を表示するように組み合わせた表示方法において、前記水位目盛表示手段が最大目盛を表示した以降、前記水位設定手段の操作により前記水位数値表示手段の表示が最大水位設定値方向に変化しても前記水位目盛表示手段は最大目盛を表示するようにしたため、通常の浴槽で使用される水位の最大値を超えて高い水位に設定されることがないため、水位設定の間違いで浴槽より水があふれることを防止することができる。
【００１０】
本発明の請求項３に係る自動風呂装置は、水位表示状態切換手段を備え、該切換手段により表示方法の切り換えを行うようにしたものである。
【００１１】
そして、水位表示状態切換手段の設定を変更することにより水位数値表示手段が最大値を表示しているときに水位目盛表示手段も最大目盛を表示するようにするため、使用する浴槽が深い形状の場合、水位目盛表示手段で表示される目盛と実際の水位とのイメージをあわせることができる。
【００１２】
【実施例】
以下、本発明の実施例について図面を用いて説明する。
【００１３】
（実施例１）
図１は本発明の実施例１の自動風呂装置を示す構成図、図２は同自動風呂装置での表示内容を表す図である。
【００１４】
図１において、１は浴槽内に所定の水位まで湯を給湯する自動給湯手段、２は自動給湯手段１の給湯を完了する水位を設定する水位設定手段、３は水位設定手段２で設定された水位を数値で表示する水位数値表示手段、４は水位を目盛で表示する水位目盛表示手段、５は水位目盛表示手段４の表示方法を変更する水位表示状態切換手段で構成されている。
【００１５】
次に動作、作用について説明する。水位設定手段２は浴槽内の湯吐出口から１０cmの高さの水位を最低の設定とし、設定を１変更する毎に２．５cm水位が変化するような設定としている。水位数値表示手段３は水位設定手段２の設定内容を数値で表示する。前述の最低の設定では「１」を表示し、水位設定「１」の状態から１つ設定を上げた場合は「２」を表示し、そのときの湯吐出口からの高さは１２．５cmとなる。通常の浴槽は深さが５０cmくらいで湯吐出口は浴槽の底面から１５cmくらいの高さに取り付けられるので、湯吐出口から浴槽のあふれ縁までは３５cmとなる。そうすると、あふれ縁まで湯を張るのに必要な水位設定は「１０」となる。しかし、特殊な深い浴槽での使用も想定し、水位設定は「１６」まで設定できるように構成している。水位目盛表示手段４は水位数値表示手段３の表示と連動して、水位設定値をバーによる目盛を用いて表示し、バーの本数により水位設定値の大小を表現する。バーは全部で７本あり、水位設定値の増減によりバーの本数も増減し、使用者に水位設定の上げ下げを視覚的に認識させる効果をもたらす。一般的に目盛の表現は設定の最大値で目盛も最大値を示すのが普通である。しかし、使用上の水位設定の最大値は使用される浴槽の形状によって異なるので、水位数値表示手段３が最大設定値「１６」を表示しているときに水位目盛表示手段４が最大設定状態のバー７本を表示するようには構成できない。なぜならば、前述の通り最大設定値「１６」は特殊な深い浴槽のために用意した設定であり、通常の浴槽では水位設定「１０」が最大設定に相当する。もし、水位数値表示手段３が最大設定値「１６」を表示するときに水位目盛表示手段４が最大設定状態のバー７本を表示するように関連づけたとすると、使用者は視覚的にわかりやすいバー表示の方を参考に水位設定を行うので、浴槽の八分目まで湯を張るにはバーの本数が八分目となるバー６本の状態にあわせる。そのときの水位設定は「１２」の状態になっている。通常の浴槽では水位設定は「１０」までなので、水位設定「１２」では湯は浴槽からあふれてしまう。湯があふれてしまうと、どの設定までならあふれないのかがわからない。適正な水位設定がわかりにくいという不具合があると共に、機器が故障したという誤解をする可能性もある。これらの不具合を防止するため、水位目盛表示手段４は水位設定「１」のときにバー１本、「２」のときにバー２本というように水位設定が１増える毎にバーを１本増やして表示する。そうすると、水位設定「７」のときにバー７本の最大表示状態になる。水位設定「８」〜「１６」ではバー７本の状態を維持する。この方法によれば、浴槽の八分目まで湯を張るときにバーの本数が八分目となるバー６本の状態にしても、水位設定は「６」なので湯があふれることはない。湯の量が少なければ、水位設定手段２を操作して水位設定値を増やせばよい。また、特殊な深い浴槽に用いた場合は、バー表示に対し実際の水位が低すぎるので、違和感を生じるおそれがある。そのため、最大水位設定値「１６」のときにバー７本を表示するように水位目盛手段４での水位表示方法を切り換える手段として、水位表示状態切換手段５を設けている。
【００１６】
【発明の効果】
以上説明したように本発明の請求項１に係る自動風呂装置は、水位設定手段の操作に対応した設定状態の表示を水位目盛表示手段と水位数値表示手段で異なって表示させる表示方法と、水位設定手段の操作に対応した設定状態の表示を水位目盛表示手段と水位数値表示手段で同期して表示させる表示方法を有する構成としているため、一般的な浴槽に湯張りする場合と特殊な深い浴槽に湯張りする場合において使い分けが可能となり、適切な湯張り動作を行うことができるという効果がある。
【００１７】
また、請求項２に係る自動風呂装置は水位数値表示手段が最大値を示す前に水位目盛表示手段が最大表示状態になるようにしているので、使用者が誤って水位設定値を高くしすぎることを防ぐという効果がある。
【００１８】
また、請求項３に係る自動風呂装置は水位表示状態切換手段により水位目盛表示手段の表示方法を、水位数値表示手段が最大値を示したときに水位目盛表示手段が最大表示状態になるように切換えることができるようにしているので、特殊な深い浴槽に用いた場合でも表示に対して違和感なく使用できるという効果がある。
【図面の簡単な説明】
【図１】本発明の実施例１における自動風呂装置の構成図
【図２】同自動風呂装置の表示方法を示す概略図
【図３】従来の自動風呂装置の構成図
【図４】従来の自動風呂装置の表示方法を示す概略図
【符号の説明】
１  自動給湯手段
２  水位設定手段
３  水位数値表示手段
４  水位目盛表示手段
５  表示状態切換手段
【図１】
0003714265.tif 000002
【図２】
0003714265.tif 000003
【図３】
0003714265.tif 000004
【図４】
0003714265.tif 000005